(57)【要約】【課題】画像要素は一般的な汎用の作画ソフトで作成・修正・保存でき、表示内容や表示位置などの指定情報も一般的な汎用のソフトで管理可能とすること。【解決手段】本発明の画像表示方法は、所定の画像要素を、表示装置の画面に所定のレイアウトで表示するための画像表示方法において、表示すべき所定の複数の画像要素を含んだ複数の画像要素が並べられて合成された合成画像を予め準備しておき、それぞれの画像要素を特定する識別情報、それぞれの画像要素の切り取り座標情報、及びそれぞれの画像要素の表示座標情報を含んだ文字情報の羅列で構成されたそれぞれの指定情報を指定することによって、それぞれの画像要素は、前記それぞれの指定情報に基づいて前記合成画像から切り取られて前記表示装置の所定のレイアウトで表示されるように制御する。【選択図】図１
2008224848.tif 000002
【特許請求の範囲】
【請求項１】
所定の画像要素を、表示装置の画面に所定のレイアウトで表示するための画像表示方法において、
表示すべき所定の複数の画像要素を含んだ複数の画像要素が並べられて合成された合成画像を予め準備しておき、
所定の複数の異なる画像要素を、それぞれ所定のレイアウトで表示させるときには、
それぞれの画像要素を特定する識別情報、それぞれの画像要素の切り取り座標情報、及びそれぞれの画像要素の表示座標情報を含んだ文字情報の羅列で構成されたそれぞれの指定情報を指定することによって、
それぞれの画像要素は、前記それぞれの指定情報に基づいて前記合成画像から切り取られて前記表示装置の所定のレイアウトで表示されるように制御することを特徴とする画像表示方法。
【請求項２】
前記指定情報および画像要素は、少なくともパーソナルコンピュータ上の表作成・計算ソフトウエアで、作成・表示・修正が可能であり、且つ、前記表示装置で読み取り可能な各種記憶媒体に保存可能、もしくは各種通信媒体に出力可能なデータ形式としたことを特徴とする請求項１に記載の画像表示方法。
【発明の詳細な説明】
【技術分野】
【０００１】
本発明は、種々の画像要素を所望の位置に表示可能な表示装置に表示させるための表示情報の作成方法、処理方法、表示方法に関するものである。
【背景技術】
【０００２】
従来の表示方法では、アイコンなどの画像要素を個別のファイルとして、作成、保存しておき、表示する場合には、画像要素を特定するファイル識別情報（ファイル名など）と、表示させるべき位置を特定する座標情報などを含んだ指定情報に基づいて、所定の位置に所定の画像要素を表示することが行われている。
【発明の開示】
【発明が解決しようとする課題】
【０００３】
しかし、従来の方法では、表示すべき複数の画像要素を入れ換えるときには、専用のソフトウエアを用いて、複数の画像ファイルを作成しなおして、保存しなおさなければならなかった。
また、表示内容や表示位置を作成・変更・管理する場合には、専用のソフトウエアを使用しなければならなかった。
【０００４】
そこで、本発明は、画像要素は一般的な汎用の画像ソフトで作成・修正・保存でき、表示内容や表示位置などの指定情報も一般的な汎用のソフトで管理可能とすることを目的としてなされたものである。
【課題を解決するための手段】
【０００５】
本発明にかかる画像表示方法は、
所定の画像要素を、表示装置の画面に所定のレイアウトで表示するための画像表示方法において、
表示すべき所定の複数の画像要素を含んだ複数の画像要素が並べられて合成された合成画像を予め準備しておき、
所定の複数の異なる画像要素を、それぞれ所定のレイアウトで表示させるときには、
それぞれの画像要素を特定する識別情報、それぞれの画像要素の切り取り座標情報、及びそれぞれの画像要素の表示座標情報を含んだ文字情報の羅列で構成されたそれぞれの指定情報を指定することによって、
それぞれの画像要素は、前記それぞれの指定情報に基づいて前記合成画像から切り取られて前記表示装置の所定のレイアウトで表示されるように制御する。
また、
前記指定情報は、少なくともパーソナルコンピュータ上の表作成・計算ソフトウエアで、作成・表示・修正が可能であり、且つ、前記表示装置で読み取り可能な各種記憶媒体に保存可能、もしくは各種通信媒体に出力可能なデータ形式とした。
【発明の効果】
【０００６】
本発明にかかる画像表示方法によれば、
表示すべき所定の複数の画像要素を含んだ複数の画像要素が並べられて合成された合成画像を予め準備しているので、必要な画像要素は、前記合成画像のどの位置から、どの大きさで切り取るかを指定することで取り出すことができる。
そのため、専用の画像作成ソフトでなくても、合成画像を作成して保存できる機能を持った一般的なソフトで作成することができる。
また、取り出した画像要素を所定の位置に表示させるときには、表示座標情報を含んだ文字情報の羅列で構成されたそれぞれの指定情報を指定することで、所定の位置に表示させることができる。そのため、専用の作画ソフトは不要である。
また、前記指定情報は、少なくともパーソナルコンピュータ上の表作成・計算ソフトウエアで、作成・表示・修正が可能であるので、特別の専用のソフトを必要としない。
【発明を実施するための最良の形態】
【０００７】
以下に、本発明にかかる画像表示方法を、その実施の形態を示した図面に基づいて詳細に説明する。
図１において、
１は複数の画像要素11、12、13、・・・が並べられて合成された１つの合成画像である。
前記画像要素11は、前記合成画像１の基点（図上、左上の座標）からの相対座標が（ｘ１，ｙ１）で、画像の縦横の大きさがａ１，ｂ１となっている。
前記画像要素12は、前記合成画像１の基点（図上、左上の座標）からの相対座標が（ｘ２，ｙ２）で、画像の縦横の大きさがａ２，ｂ２となっている。
前記画像要素13は、前記合成画像１の基点（図上、左上の座標）からの相対座標が（ｘ３，ｙ３）で、画像の縦横の大きさがａ３，ｂ３となっている。
なお、前記縦横の大きさに代えて座標を用いてもよい。
【０００８】
前記合成画像１は、例えばビットマップファイル（識別子ｂｍｐ）などの形式で作成されて、合成画像（画像識別情報Ｐ１）として保存されている。
このような合成画像１は、一般的なビットマップファイルなどの画像ファイルであるので、その作成には、専用のソフトは不要であり、例えば、ｐａｉｎｔなどの付属ソフトで作成・修正・保存が可能である。
【０００９】
次に、図２のようなレイアウトで表示装置に表示する場合を例にとって説明する。
表示装置を制御するための指定情報には、画像要素を特定するための指定情報，例えば画像要素11を指定するための識別情報Ｇ11と、合成画像１から切り取るための相対座標、例えば、（ｘ１，ｙ１）、画像の縦横の大きさａ１，ｂ１と、表示すべき位置を指定するための座標情報（Ｄｘ１，Ｄｙ１）とが含まれている。
前記指定情報には、さらに、
画像要素12を指定するための識別情報Ｇ12と、合成画像１から切り取るための相対座標、例えば、（ｘ２，ｙ２）、画像の縦横の大きさａ２，ｂ２と、表示すべき位置を指定するための座標情報（Ｄｘ２，Ｄｙ２）とが含まれている。
前記指定情報には、さらに、
画像要素13を指定するための識別情報Ｇ13と、合成画像１から切り取るための相対座標、例えば、（ｘ３，ｙ３）、画像の縦横の大きさａ３，ｂ３と、表示すべき位置を指定するための座標情報（Ｄｘ３，Ｄｙ３）とが含まれている。
【００１０】
従って、図２のように表示する場合の前記指定情報は、以下のような情報を含んでいる。
Ｐ１,Ｇ11,ｘ１,ｙ１,ａ１,ｂ１,Ｄｘ１,Ｄｙ１
Ｐ１,Ｇ12,ｘ２,ｙ２,ａ２,ｂ２,Ｄｘ２,Ｄｙ２
Ｐ１,Ｇ13,ｘ３,ｙ３,ａ３,ｂ３,Ｄｘ３,Ｄｙ３
また、図３のように表示する場合の前記指定情報は、以下のような情報を含んでいる。
Ｐ１,Ｇ11,ｘ１,ｙ１,ａ１,ｂ１,Ｄｘ１,Ｄｙ１
Ｐ１,Ｇ15,ｘ２,ｙ２,ａ２,ｂ２,Ｄｘ２,Ｄｙ２
Ｐ１,Ｇ18,ｘ３,ｙ３,ａ３,ｂ３,Ｄｘ３,Ｄｙ３
このように、指定情報の一部（識別情報）を変更するだけで表示画面の内容を変化させることができるのである。
【００１１】
前記指定情報は、文字情報の羅列で構成されているので、少なくともパーソナルコンピュータ上の表作成・計算ソフトウエア、例えば、マイクロソフト社のEXCELなどの表計算ソフトで作成・表示・修正が可能であり、且つ、前記表示装置で電子的に読み取り可能な各種記憶媒体（フラッシュメモリ、ディスクなど）に保存可能、もしくは各種通信媒体、有線／無線通信手段、有線／無線ＬＡＮ、インターネットなどに出力可能なデータ形式、例えば、csv形式、タブ区切り形式などとした。
したがって、前記指定情報の作成・変更には、専用の画像処理ソフトを要しない。
【００１２】
以上のような指定情報に基づいて表示装置に表示する場合には、
まず、どの合成画像を選択するかを読み取る。例えばＰ１として合成画像１を選択。
次に、どの座標からどの大きさで切り取るかを読み取る。例えば座標（ｘ１，ｙ１）、縦横の大きさａ１，ｂ１。
次に、どの位置に表示するかを読み取る。例えば座標Ｄｘ１，Ｄｙ１。
以上のようにして、切り取った画像要素を指定された位置に表示することができる。
これらの処理は、表示装置に備えられたファームウェアによって処理される。前記ファームウェアは、表示すべき情報として入力される指定情報が変更されると、その都度、変更された指定情報を上記のように読み取って表示情報を変更する。
【実施例１】
【００１３】
例えば、複数の文字を表示する場合には、使用される可能性のある全ての文字を画像要素として含んだ合成画像を準備しておき、表示のために切り取りたい文字の座標と大きさを指定して、表示する順番に並べることによって、指定情報を作成することができる。
そして、表示するための位置情報を各文字ごとに作成して、前記指定情報に含ませる。
表示装置を制御する場合には、前記指定情報に基づいて、表示装置に保存されている前記画像情報から必要な文字を順次切り取って、指定された表示位置に表示する。
なお、表示する文字を変更し、表示位置は変更しない場合には、切り取る文字の座標を指定する情報を、例えばマイクロソフト社のEXCELなどの表計算ソフトを用いて変更すればよい。
【００１４】
また、図３に示した画像を表示するための指定情報は、図４に示したように、例えばマイクロソフト社のEXCELなどの表計算ソフトを用いて作成・保存することができる。
そして、図３の表示内容を図４の内容に変更したい場合には、図５に示したように、図４の一部、具体的には、画像要素を指定する識別情報を書き換えるだけでよい。このような書き換え操作は、例えばマイクロソフト社のEXCELなどの表計算ソフトを用いて変更することができる。
また、表示する文字を変更せずに、表示位置を変更する場合には、表示位置を指定する座標を、例えばマイクロソフト社のEXCELなどの表計算ソフトを用いて変更することができる。
また、同じ内容の文字を異なるフォントで表示させる場合には、図６の（ａ）で示したように、異なるフォントで作成された合成画像Ｐ１、Ｐ２、Ｐ３、Ｐ４を、表示装置の合成画像メモリに転送するなどして準備しておけば、所定の合成画像を選択・変更（例えばＰ１からＰ２へ変更）するだけで、他の指定情報は変更する必要がない。このようにすることで、必要なフォントの文字の画像要素だけを合成画像メモリに保存しておけばよいので、多くのフォントデータや、そのためのメモリを持たなくてもよいという効果も得られる。
このようにして、複数の合成画像を用いる場合には、前記指定情報には、どの合成画像を用いるかを指定するための情報も含ませるものとする。
【００１５】
このようにして、指定情報を変更することによって、表示すべき内容を簡単に変更することができるので、表示情報の管理が簡単になり、一般的なソフトを用いることができるので、表示情報の管理を安価に行えるという効果が得られる。
同様にして、言語を切り替える場合も、例えば、図６の（ａ）で示したように、英語、ドイツ語、日本語などの異なる言語の文字の画像要素を含んだ合成画像Ｐ７，Ｐ８，Ｐ９を転送して入れ換えることで容易に対応できる。このようにすることで、必要な言語の文字の画像要素だけを合成画像メモリに保存しておけばよいので、多くの言語の文字のデータや、そのためのメモリを持たなくてもよいという効果も得られる。
また、図６の（ｂ）で示したように、各種数字・記号の画像要素、数値表示の画像要素、各国言語の画像要素、エンターキー、スクロールキー、ファンクションキー、テンキー、タブキー、シフトキー、コントロールキーなどの各種機能キーに対応する画像要素を備え、各種機能を実現することができる。
【００１６】
また、特定の画像を点滅表示させる場合は、同じ表示位置に異なる画像要素、例えば、図１に示した合成画像１の画像要素12と画像要素15を所定の時間間隔で交互に表示させることで実現できる。同様にして、アニメーションも表示することができる。
【００１７】
また、棒グラフのように数値に応じて長さの変化する画像要素を表示する場合には、例えば100％に対応する長さの棒状の画像要素を準備しておき、表示すべき情報がｔ％の場合には、前記画像要素から切り取る長さを全長のｔ／100とすることによって、実現できる。
【００１８】
なお、マイクロソフト社のEXCEL等の表計算ソフトに代えて、単なるテキストエディタであっても、各情報を特定することが可能であれば、ほぼ同様に使用することができる。
また、EXCEL上に計算式の結果の保存エリアを登録することで、各種計算の対応も可能となる。
本発明の画像表示方法は、特定のハードウェアに限定された方法ではないが、一例をあげれば、図７に示したような構成のハードウェアに使用することができる。
【００１９】
なお、本発明の技術は、タッチパネルの表示装置だけでなく、タッチパネルの検知領域の指定にも利用することができる。この場合は、合成画像内に、テンキーや特殊キーの画像要素を設定することで、エンターキー、＋、−、＝、表示画面切り替え、スクロールキーなどの機能も、画像要素と、表計算ソフトのデータに属性を持たせることにより、対応可能となる。
本発明の技術をタッチパネルの検知領域の指定に利用する場合は、種々の形状であって、且つ種々の大きさである検知領域を設定するために、その検知領域の形状と大きさに対応した形状と大きさの画像要素を、検知領域を指定するための領域指定データとして準備しておく。
【００２０】
そして、例えば横長の長方形の画像要素と、その画像と同じ形状大きさの検知領域を設定するときには、図８に示したように、画像要素31と、領域指定データ41を選択指定し、前記画像要素31を表示装置の表示データとして設定し、同じ位置に、前記領域指定データ41をタッチパネルの検知領域として設定する。このようにして、画像要素31を見て、その画像要素31と同じ領域に設定されている検知領域41をタッチすれば、前記画像要素31に対応した機能を入力することができるのである。
そして、検知領域を変更する場合には、前記領域指定データを変更すればよいので、タッチパネルの設定が簡単にできるという効果が得られる。
【図面の簡単な説明】
【００２１】
【図１】本発明にかかる画像表示方法に用いる合成画像の例を示した構成図である。
【図２】本発明にかかる画像表示方法における表示画面の例を示した構成図である。
【図３】本発明にかかる画像表示方法における表示画面の例を示した構成図である。
【図４】本発明にかかる画像表示方法に用いる指定情報の例を示した構成図である。
【図５】本発明にかかる画像表示方法に用いる指定情報の例を示した構成図である。
【図６】本発明にかかる画像表示方法に用いる種々の合成画像の例を示した構成図である。
【図７】本発明に用いる表示装置の構成例を示したブロック図である。
【図８】本発明にかかる画像表示方法に用いたタッチパネルの設定例を示した構成図である。
【符号の説明】
【００２２】
１  合成画像
11、12、13、  画像要素
Ｇ11、Ｇ12、Ｇ13、指定情報
【図１】
2008224848.tif 000003
【図２】
2008224848.tif 000004
【図３】
2008224848.tif 000005
【図４】
2008224848.tif 000006
【図５】
2008224848.tif 000007
【図６】
2008224848.tif 000008
【図７】
2008224848.tif 000009
【図８】
2008224848.tif 000010